(57)【要約】      （修正有）【課題】ホルダーに取り付ける向きが把握し易い衛生薄葉紙ロールを提供する。【解決手段】衛生薄葉紙ロール３０は，筒状の巻芯１０に長尺の衛生薄葉紙２０が複数層巻き付けられたものであって、巻芯１０の軸方向における左半身３１と右半身３２を識別するためのマーカ３３が形成されている。マーカ３３は，衛生薄葉紙２０の表面のうち，左半身３１と右半身３２のいずれか一方にのみ形成された紙面の凹凸３３ａであることが望ましい。【選択図】図１
2015146846.tif 000002
【特許請求の範囲】
【請求項１】
筒状の巻芯（１０）に長尺の衛生薄葉紙（２０）が複数層巻き付けられた衛生薄葉紙ロール（３０）であって，
前記巻芯（１０）の軸方向における左半身（３１）と右半身（３２）を識別するためのマーカ（３３）が形成されている
衛生薄葉紙ロール。
【請求項２】
前記マーカ（３３）は，前記衛生薄葉紙（２０）の表面のうち，前記左半身（３１）と前記右半身（３２）のいずれか一方にのみ形成された紙面の凹凸（３３ａ）である
請求項１に記載の衛生薄葉紙ロール。
【請求項３】
前記マーカ（３３）は，前記巻芯（１０）の内面のうち，前記左半身（３１）と前記右半身（３２）のいずれか一方にのみ形成された巻芯の凹凸（３３ｂ）である
請求項１又は請求項２に記載の衛生薄葉紙ロール。
【請求項４】
前記マーカ（３３）は，前記巻芯（１０）うち，前記左半身（３１）と前記右半身（３２）のいずれか一方にのみ形成された開孔（３３ｃ）である
請求項１から請求項３のいずれかに記載の衛生薄葉紙ロール。
【請求項５】
前記マーカ（３３）は，前記左半身（３１）に形成された左側マーカ（３３Ｌ）と，前記右半身（３２）に形成された右側マーカ（３３Ｒ）と，を含み，
前記左側マーカ（３３Ｌ）と前記右側マーカ（３３Ｒ）は識別できる態様で区別されたものである
請求項１に記載の衛生薄葉紙ロール。
【発明の詳細な説明】
【技術分野】
【０００１】
本発明は，トイレットロールなどの衛生薄葉紙ロールに関する。具体的に説明すると，本発明は，ホルダー（保持具）に取り付ける方向を区別し易い衛生薄葉紙ロールに関するものである。
【背景技術】
【０００２】
従来から，家庭用の衛生薄葉紙として，トイレットペーパやキッチンペーパなどが知られている。これらの衛生薄葉紙は長尺であるため，通常，円筒状の巻芯に巻き付けてロール状とされ，個別の製品として販売されている。
【０００３】
衛生薄葉紙をロール状に形成するためには，まず，衛生薄葉紙の始端部分又は巻芯の周面に接着剤（「ピックアップ糊」とも称される）を付着させ，衛生薄葉紙の始端部分を巻芯の周面に固定した後，巻芯を高速で回転させて巻き付ける処理が行われる。また，衛生薄葉紙を所定長さまで巻き終えると，この衛生薄葉紙の終端部分に接着剤（「テール糊」とも称される）を付着させ，衛生薄葉紙の終端部分を，巻芯に巻き付けられている紙面の最外層に固定する。これにより，筒状の巻芯に長尺の衛生薄葉紙が複数層巻き付けられた衛生薄葉紙ロールが形成される。このようにして形成された衛生薄葉紙ロールは，その外観上は，ほぼ完全な円筒状に見えるようになる。衛生薄葉紙ロールとしては，例えば，従来から特許文献１や特許文献２に開示されたものが知られている。
【０００４】
また，トイレットロールなどの衛生薄葉紙ロールは，一般的に，専用のホルダーに取り付けて使用される。一般的なホルダーは芯棒を備えており，衛生薄葉紙ロールの巻芯の筒内にホルダーの芯棒を挿し込むことで，衛生薄葉紙ロールを保持するようになっている。衛生薄葉紙ロールをホルダーに取り付ける際には，使用時に衛生薄葉紙を下方に向かって引き出しやすいように，衛生薄葉紙の終端縁がホルダーの手前側で下方を向くようにすることで，衛生薄葉紙ロールをホルダーに正しく取り付けることができる。衛生薄葉紙ロールのホルダーとしては，例えば，従来から特許文献３に開示されたものが知られている。
【先行技術文献】
【特許文献】
【０００５】
【特許文献１】特開２０１０−１８８６９０号公報
【特許文献２】特開２０１１−１３６１６７号公報
【特許文献３】特開２０１１−１３６１６７号公報
【発明の概要】
【発明が解決しようとする課題】
【０００６】
上述したように，衛生薄葉紙ロールは，巻回された衛生薄葉紙の終端部分に接着剤が付与され，最外面の紙面上に貼り付けられている。このため，衛生薄葉紙ロールは，その外観から，衛生薄葉紙の終端部分の向きを一見して把握することは困難である。従って，使用者は，衛生薄葉紙の終端部分に付着している接着剤を剥がして始めて，衛生薄葉紙の終端部分の向きを把握できるようになることが多い。
【０００７】
他方，衛生薄葉紙の終端部分を一旦剥がしてしまうと，衛生薄葉紙の巻回状態が解け始めてしまう。このため，一般的には，衛生薄葉紙の終端部分を剥がす前に，この衛生薄葉紙ロールを専用のホルダーに取り付けることが好ましいとされている。しかしながら，上述のように，衛生薄葉紙の終端部分を剥がす前に，衛生薄葉紙の終端部分の向きを判別することは難しい。このため，衛生薄葉紙の終端部の向きを判別する前に，衛生薄葉紙ロールを専用のホルダーに取り付ける場合もあるが，この場合，衛生薄葉紙ロールの取り付け向きを間違ってしまうこともある。つまり，衛生薄葉紙の終端部の向きを判別する前に，衛生薄葉紙ロールを専用のホルダーに取り付けると，ホルダーに取り付けた後に衛生薄葉紙の終端部分の向きが反対になっていることに気付くこともある。その場合，終端部が剥がれた衛生薄葉紙ロールをホルダーから一旦外して，もう一度ホルダーに取り付け直す必要があり，非常に手間となっていた。
【０００８】
特に，視力が低下した者や眼に障害を持つ者にとって，衛生薄葉紙ロールの終端部分における僅かな接着具合を参照して，衛生薄葉紙ロールの取り付け向きを確認することは極めて困難である。従って，視力が低下した者が衛生薄葉紙ロールを専用のホルダーに取り付ける作業を行うと，高い確率でその取り付け向きを誤ってしまうという事態が生じていた。
【０００９】
そこで，本発明は，少なくとも，衛生薄葉紙ロールの終端部分の向きを識別し易いようにし，ホルダーに取り付ける際のミスを減少させることを解決課題とする。好ましくは，本発明は，視力の弱い者であっても，ホルダーに取り付ける衛生薄葉紙ロールの向きを把握し易くすることを解決課題とする。
【課題を解決するための手段】
【００１０】
本発明の発明者は，上記課題を解決する手段について鋭意検討した結果，衛生薄葉紙ロールに，巻芯の軸方向における左半身と右半身を識別するためのマーカを形成することした。これにより，衛生薄葉紙ロールの終端部分の向きを識別し易くなり，ホルダーに取り付ける際のミスを減少させることができるという知見を得た。そして，本発明者は，上記知見に基づけば，従来技術の課題を解決できることに想到し，本発明を完成させた。
具体的に説明すると，本発明は以下の構成を有する。
【００１１】
本発明は，衛生薄葉紙ロール３０に関する。衛生薄葉紙ロール３０は，筒状の巻芯１０に長尺の衛生薄葉紙２０が複数層巻き付けられたロール状の製品である。
ここで，本発明の衛生薄葉紙ロール３０は，巻芯１０の軸方向における左半身３１と右半身３２を識別するためのマーカ３３が形成されていることを特徴としている。
【００１２】
上記構成のように，衛生薄葉紙ロール３０にマーカ３３を形成し，左半身３１と右半身３２の別を判別し易くすることで，使用者にとって，ホルダーに取り付ける衛生薄葉紙ロール３０の向きが判りやすくなる。
【００１３】
本発明において，マーカ３３は，衛生薄葉紙２０の表面のうち，左半身３１と右半身３２のいずれか一方にのみ形成された紙面の凹凸３３ａであることが好ましい。
【００１４】
上記構成のように，例えばエンボス加工等によって，衛生薄葉紙２０の表面に凹凸３３ａを形成することで，視力の弱い者であっても，衛生薄葉紙２０の表面に触れるだけで，衛生薄葉紙ロール３０の左右の向きをすぐに把握することができる。
【００１５】
本発明において，マーカ３３は，巻芯１０の内面のうち，左半身３１と右半身３２のいずれか一方にのみ形成された巻芯の凹凸３３ｂであるであることが好ましい。
【００１６】
上記構成のように，例えばエンボス加工等によって，巻芯１０の内面に凹凸３３ｂを形成することで，視力の弱い者であっても，巻芯１０の筒内に指を差し込めば，衛生薄葉紙ロール３０の左右の向きをすぐに把握することができる。特に，衛生薄葉紙２０は薄く柔らかい紙材であるのに対し，巻芯１０は比較的厚く硬い紙材で形成されることが多い。このため，巻芯１０に設けられた凹凸３３ｂは，衛生薄葉紙２０に設けられた凹凸３３ａよりも，指で触ったときにその存在をより認識しやすい。従って，巻芯１０自体に凹凸状のマーカを形成する形態は，特に好ましい形態であるといえる。
【００１７】
本発明において，マーカ３３は，巻芯１０うち，左半身３１と右半身３２のいずれか一方にのみ形成された開孔３３ｃであることが好ましい。
【００１８】
上記構成のように，例えばパンチ加工等によって，巻芯１０に開孔３３ｃを形成することで，視力の弱い者であっても，巻芯１０の筒内に指を差し込めば，衛生薄葉紙ロール３０の左右の向きをすぐに把握することができるようになる。特に，開孔３３ｃを通じて巻芯１０に巻き付けられている衛生薄葉紙２０を触れるようにすれば，使用者は，その材質や手触りの違いから，より短時間で衛生薄葉紙ロール３０の向きを理解することができるようになる。
【００１９】
本発明において，マーカ３３は，左半身３１に形成された左側マーカ３３Ｌと，右半身３２に形成された右側マーカ３３Ｒと，を含むものであってもよい。この場合，左側マーカ３３Ｌと右側マーカ３３Ｒは識別できる態様で区別されたものであることが好ましい。左側マーカ３３Ｌと右側マーカ３３Ｒの違いは，視覚によって識別できるようになっていても良いし，触覚によって識別できるようになっていてもよい。
【発明の効果】
【００２０】
本発明によれば，衛生薄葉紙ロールの終端部分の向きが一見して識別し易やすくなるため，ホルダーに取り付ける際のミスを減少させることができる。また，本発明の好ましい形態によれば，視力の弱い者であっても，ホルダーに取り付ける衛生薄葉紙ロールの向きを容易に把握することができる。
【図面の簡単な説明】
【００２１】
【図１】図１は，第１の実施形態に係る衛生薄葉紙ロールを模式的に示している。図１（ａ）は，全体の外観斜視図であり，図１（ｂ）は，衛生薄葉紙の平面図である。
【図２】図２は，第２の実施形態に係る衛生薄葉紙ロールを模式的に示している。図２（ａ）は，全体の外観斜視図であり，図２（ｂ）は，巻芯の断面図である。
【図３】図３は，第３の実施形態に係る衛生薄葉紙ロールを模式的に示している。図３（ａ）は，全体の外観斜視図であり，図３（ｂ）は，巻芯の斜視図である。
【図４】図４は，第４の実施形態に係る衛生薄葉紙ロールを模式的に示している。図４（ａ）は，第４の実施形態の第１例を示し，図４（ｂ）は，第４の実施形態の第２例を示している。
【発明を実施するための形態】
【００２２】
以下，図面を用いて本発明を実施するための形態について説明する。本発明は，以下に説明する形態に限定されるものではなく，以下の形態から当業者が自明な範囲で適宜修正したものも含む。
【００２３】
［１．第１の実施形態］
図１は，本発明の第１の実施形態に係る衛生薄葉紙ロール３０を示している。
図１に示されるように，本発明の衛生薄葉紙ロール３０は，トイレットペーパをロール状に形成したトイレットロールであることが好ましい。ただし，その他にも，衛生薄葉紙ロール３０は，キッチンペーパをロール状に形成したキッチンロールなどの家庭用ロール製品であってもよい。
【００２４】
図１（ａ）に示されるように，衛生薄葉紙ロール３０は，円筒状の巻芯１０と，帯状の衛生薄葉紙２０と，を含む。衛生薄葉紙２０は長尺であり，巻芯１０の表面（周面）に多層にわたって巻き付けられている。また，衛生薄葉紙２０の終端縁２１の近傍には，その内面側に，テール糊２２が塗布されている。テール糊２２は，衛生薄葉紙２０の終端縁２１の近傍を，巻芯１０に巻き付けられている衛生薄葉紙２０の最外層に固定するための接着剤である。テール糊２２は，衛生薄葉紙２０の幅方向全体に亘って延びる線状に塗布しておけばよい。
【００２５】
衛生薄葉紙２０としては，公知のトイレットペーパやキッチンペーパなどの，厚さ０．０１ｍｍ〜０．５ｍｍ程度の薄い紙材を用いればよい。また，巻芯１０は，公知のクラフト紙などの，厚み０．５〜３ｍｍ程度の厚紙を円筒状に丸めて形成すればよい
【００２６】
また，図１（ｂ）は，衛生薄葉紙２０を引き出した状態を示している。図１（ａ）及び（ｂ）に示されるように，衛生薄葉紙ロール３０は，巻芯１０の軸方向（図の左右方向）において，左半身３１と右半身３２とに区分することができる。左半身３１と右半身３２の境界線は，図１（ｂ）において「点線」で示している。特に，図１では，衛生薄葉紙２０の終端縁２１を手前側として，その終端縁２１を下向きの状態にしたときの左側を「左半身３１」とし，右側を「右半身３２」としている。
【００２７】
ここで，本発明の衛生薄葉紙ロール３０は，左半身３１と右半身３２を識別するためのマーカ３３を有する。本実施形態の衛生薄葉紙ロール３０では，衛生薄葉紙２０の表面うち，左半身３１側にのみ，紙面の凹凸３３ａが複数形成されている。本実施形態では，この紙面の凹凸３３ａが，左半身３１と右半身３２を識別するためのマーカ３３として機能する。ただし，紙面の凹凸３３ａは，衛生薄葉紙２０の表面うち，右半身３２側にのみ形成されたものであってもよい。
【００２８】
紙面の凹凸３３ａは，例えば，エンボス加工を施すことにより形成することができる。エンボス加工は公知である。エンボス加工は，例えば，周面に複数の突起が形成されたエンボスローラと，周面が平滑面で形成されたアンビルローラとの間に，衛生薄葉紙２０を導入することにより，この衛生薄葉紙２０の紙面上に凹凸を付与することができる。衛生薄葉紙２０に形成する凹凸３３ａのパターンは，適宜好ましいパターンを採用すればよい。本発明において，紙面の凹凸３３ａは，使用者が衛生薄葉紙２０の表面に触れたときに，その凹凸３３ａの存在を触覚で感知できる程度の深さや幅などで形成されていることが好ましい。
【００２９】
また，紙面の凹凸３３ａは，衛生薄葉紙２０の長手方向全体に亘って形成されていることが好ましい。すなわち，紙面の凹凸３３ａは，衛生薄葉紙２０の終端縁から始端縁に至るまで形成されていることが好ましい。これにより，衛生薄葉紙２０がある程度使用された後であっても，その紙面の凹凸３３ａが衛生薄葉紙２０上に残った状態になるため，使用者は，最後まで衛生薄葉紙ロール３０の左右の別を識別することができる。
【００３０】
上記のように，衛生薄葉紙ロール３０の左半身３１のみ（又は右半身３２のみ）に，紙面の凹凸３３ａを形成することで，使用者は，その紙面の凹凸３３ａの位置を確認することで，衛生薄葉紙ロール３０の左右の向きを判別することができる。従って，使用者は，紙面の凹凸３３ａに基づいて衛生薄葉紙ロール３０の向きを確認し，衛生薄葉紙ロール３０をホルダーに取り付ける際に，衛生薄葉紙ロール３０とホルダーの左右を一致させることで，衛生薄葉紙ロール３０を簡単に正しく取り付けることができる。
【００３１】
［２．第２の実施形態］
図２は，本発明の第２の実施形態に係る衛生薄葉紙ロール３０を示している。図２（ａ）は，第２の実施形態に係る衛生薄葉紙ロール３０の外観斜視図であり，図２（ｂ）は，第２の実施形態に係る衛生薄葉紙ロール３０の巻芯１０の断面図である。
【００３２】
図２（ａ）（ｂ）に示されるように，本実施形態の衛生薄葉紙ロール３０では，巻芯１０の内面のうち，左半身３１側にのみ，巻芯の凹凸３３ｂが複数形成されている。本実施形態では，この巻芯の凹凸３３ｂが，左半身３１と右半身３２を識別するためのマーカ３３として機能する。ただし，巻芯の凹凸３３ｂは，巻芯１０の内面のうち，右半身３２側にのみ形成されたものであってもよい。
【００３３】
巻芯の凹凸３３ｂは，例えば，エンボス加工を施すことにより形成することができる。エンボス加工は公知である。エンボス加工は，例えば，周面に複数の突起が形成されたエンボスロールと，周面が平滑面で形成されたアンビルロールとの間に，巻芯１０の原材料となる厚紙を導入することにより，この厚紙に凹凸を付与することができる。巻芯の凹凸３３ｂのパターンは，適宜好ましいパターンを採用すればよい。本発明において，巻芯の凹凸３３ｂは，使用者が巻芯１０の内面に触れたときに，その凹凸３３ｂの存在を触覚で感知できる程度の深さや幅などで形成されていることが好ましい。
【００３４】
また，巻芯の凹凸３３ｂは，巻芯１０の内面の周方向全体に亘って形成されていることが好ましい。これにより，使用者は，巻芯１０の筒内に指を挿し込むことで，どの角度からであっても，衛生薄葉紙ロール３０の左右の別を識別することができる。
【００３５】
上記のように，衛生薄葉紙ロール３０の左半身３１のみ（又は右半身３２のみ）に，巻芯の凹凸３３ｂを形成することで，使用者は，その巻芯の凹凸３３ｂの位置を確認することで，衛生薄葉紙ロール３０の左右の向きを判別することができる。従って，使用者は，巻芯の凹凸３３ｂに基づいて衛生薄葉紙ロール３０の向きを確認し，衛生薄葉紙ロール３０をホルダーに取り付ける際に，衛生薄葉紙ロール３０とホルダーの左右を一致させることで，衛生薄葉紙ロール３０を正しく簡単に取り付けることができる。
【００３６】
特に，衛生薄葉紙２０は比較的薄く柔らかい紙材であるのに対し，巻芯１０は比較的厚く硬い紙材で形成されることが多い。このため，巻芯１０に設けられた凹凸３３ｂは，衛生薄葉紙２０に設けられた凹凸３３ａよりも，指で触ったときにその存在をより認識しやすい。従って，巻芯１０自体に凹凸状のマーカ３３を形成した第２の実施形態は，特に好ましい形態であるといえる。
【００３７】
［３．第３の実施形態］
図３は，本発明の第３の実施形態に係る衛生薄葉紙ロール３０を示している。図３（ａ）は，第３の実施形態に係る衛生薄葉紙ロール３０の外観斜視図であり，図３（ｂ）は，第３の実施形態に係る衛生薄葉紙ロール３０の巻芯１０の斜視図である。
【００３８】
図３（ａ）（ｂ）に示されるように，本実施形態の衛生薄葉紙ロール３０では，巻芯１０の内面のうち，左半身３１側にのみ，複数の開孔３３ｃが形成されている。本実施形態では，この開孔３３ｃが，左半身３１と右半身３２を識別するためのマーカ３３として機能する。ただし，開孔３３ｃは，巻芯１０の内面のうち，右半身３２側にのみ形成されたものであってもよい。
【００３９】
開孔３３ｃは，例えば，パンチ加工（打ち抜き加工）により形成することができる。パンチ加工には，公知のパンチ装置を用いればよい。開孔３３ｃの形状や，その開口面積は，適宜好ましい形状・面積を採用すればよい。本発明において，開孔３３ｃは，使用者が巻芯１０の内面に触れたときに，その開孔３３ｃを介して，巻芯１０に巻き付けられている衛生薄葉紙２０に触れることができる程度の形状や面積であることが好ましい。例えば，開孔３３ｃの形状は，円形，楕円形，正方形，その他多角形とすることができる。また，開孔３３ｃの面積は，１〜２５ｃｍ２程度であることが好ましく，使用者の指の腹が収まる程度の面積であることが好ましい。
【００４０】
また，複数の開孔３３ｃは，巻芯１０の内面の周方向全体に亘って，所定間隔で形成されていることが好ましい。これにより，使用者は，巻芯１０の筒内に指を挿し込むことで，どの角度からであっても，衛生薄葉紙ロール３０の左右の別を識別することができる。
【００４１】
上記のように，衛生薄葉紙ロール３０の左半身３１のみ（又は右半身３２のみ）に，巻芯の開孔３３ｃを形成することで，使用者は，その巻芯の開孔３３ｃの位置を確認することで，衛生薄葉紙ロール３０の左右の向きを判別することができる。従って，使用者は，巻芯の開孔３３ｃに基づいて衛生薄葉紙ロール３０の向きを確認し，衛生薄葉紙ロール３０をホルダーに取り付ける際に，衛生薄葉紙ロール３０とホルダーの左右を一致させることで，衛生薄葉紙ロール３０を簡単に正しく取り付けることができる。
【００４２】
特に，巻芯１０に開孔３３ｃを形成することで，この開孔３３ｃを通じて巻芯１０に巻き付けられている衛生薄葉紙２０に触れることができるため，使用者は，その材質や手触りの違いから，より短時間で衛生薄葉紙ロール３０の向きを理解することができるようになる。
【００４３】
［４．第４の実施形態］
図４は，本発明の第４の実施形態に係る衛生薄葉紙ロール４０を示している。図４（ａ）は，第４の実施形態に係る衛生薄葉紙ロール３０の一例を示しており，図４（ｂ）は，第３の実施形態に係る衛生薄葉紙ロール３０の他の例を示している。
【００４４】
図４（ａ）及び図４（ｂ）に示されるように，第４の実施形態は，上述した第１〜第３の実施形態とは異なり，衛生薄葉紙ロール３０の左半身３１と右半身３２の両方に，マーカ３３が付与されている。左半身３１側に付与されたマーカ３３を，左側マーカ３３Ｌといい，右半身３２側に付与されたマーカ３３を，右側マーカ３３Ｒという。ここで，左側マーカ３３Ｌと右側マーカ３３Ｒは，使用者が識別できる態様で区別されている。図４に示された実施形態において，左側マーカ３３Ｌは，『Ｌ』という文字の印刷であり，左側マーカ３３Ｒは，『Ｒ』という文字の印刷となっている。
【００４５】
具体的に説明すると，図４（ａ）に示された例において，左側マーカ３３Ｌと右側マーカ３３Ｒは，共に，衛生薄葉紙２０の表面に付与されている。例えば，左側マーカ３３Ｌと右側マーカ３３Ｒは，公知のプリンタを利用して，衛生薄葉紙２０の表面に印刷すればよい。他方，図４（ｂ）に示された例において，左側マーカ３３Ｌと右側マーカ３３Ｒは，共に，巻芯１０の内面に付与されている。例えば，左側マーカ３３Ｌと右側マーカ３３Ｒは，公知のプリンタを利用して，巻芯１０の内面に印刷すればよい。
【００４６】
これら図４（ａ）及び図４（ｂ）に示されるように，衛生薄葉紙ロール３０の左半身３１と右半身３２の両方に，それぞれ異なる左側マーカ３３Ｌと右側マーカ３３Ｒを付与することによっても，使用者は，衛生薄葉紙ロール３０の左右の向きを確認することができる。
【００４７】
図４（ａ）及び図４（ｂ）に示した例では，衛生薄葉紙ロール３０の左半身３１と右半身３２の両方に異なる文字を印刷することで，使用者が，視覚によって，左側マーカ３３Ｌと右側マーカ３３Ｒを区別できるようにしている。その他，左側マーカ３３Ｌと右側マーカ３３Ｒは，それぞれ異なる点字（凹凸）で構成し，使用者が視覚と触覚によって区別できるようにしてもよい。また，左側マーカ３３Ｌと右側マーカ３３Ｒは，開孔であってもよい。また，その他，左側マーカ３３Ｌと右側マーカ３３Ｒは，それぞれ異なる香りのする芳香剤で形成し，使用者が嗅覚によって区別できるようにしてもよい。
【００４８】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００４９】
また，本願明細書では，第１〜第４の実施形態について，それぞれの特徴的な構成を別々に説明したが，第１〜第４の実施形態の特徴的構成は任意に組み合わせることができる。例えば，衛生薄葉紙ロール３０の左半身３１に，紙面の凹凸３３ａを形成するとともに，巻芯の凹凸３３ｂを併せて形成することもできる。また，例えば，衛生薄葉紙ロール３０の左半身３１に，紙面の凹凸３３ａを形成するとともに，衛生薄葉紙ロール３０の右半身３２に，巻芯の凹凸３３ｂを併せて形成することもできる。その他にも，同様に，左半身３１と右半身３２を識別するためのマーカ３３として，紙面の凹凸３３ａ，巻芯の凹凸３３ｂ，巻芯の開孔３３ｃ，左側マーカ３３Ｌ，及び右側マーカ３３Ｒを任意に組みわせて利用することが可能である。
【産業上の利用可能性】
【００５０】
本発明は，トイレットロールなどの衛生薄葉紙ロールに関する。従って，本発明は，衛生薄葉紙ロールの製造業において好適に利用し得る。
【符号の説明】
【００５１】
１０…巻芯            ２０…衛生薄葉紙          ２１…終端縁
２２…テール糊        ３０…衛生薄葉紙ロール    ３１…左半身
３２…右半身          ３３…マーカ              ３３ａ…紙面の凹凸
３３ｂ…巻芯の凹凸    ３３ｃ…開孔              ３４Ｌ…左側マーカ
３５Ｒ…右側マーカ
【図１】
2015146846.tif 000003
【図２】
2015146846.tif 000004
【図３】
2015146846.tif 000005
【図４】
2015146846.tif 000006